Podtech/llm-jp-corpus-v4-ja_patent huggingface dataset:
(57)【要約】【課題】  従来、外断熱工法に用いられる建物本体に外装材を取付けるために用いられる部材は金属を用いて製作される物であったため、外装材が受ける建物外部の温冷熱環境を建物本体に伝えてしまい建物の断熱性能を損なう物であった。【解決手段】  本発明は金属よりも熱が伝わりにくい樹脂材により建物本体と外装材の間に設けられる部材を成形し、それぞれが建物本体と外装材の間に設けられる部材につなぐための金属部品を部材内に共通して１つ設けるのでなく別々に分けて設け、建物本体と外装材が樹脂材を間に介してつながることによって熱が伝わりにくくする。これにより断熱材により成立する断熱性能が損なわれることを低下させる。【選択図】図１
2019173528.tif 000002
【特許請求の範囲】
【請求項１】
建物を外断熱工法とした場合、断熱材を境界として内側の建物本体と外側の外装材を構成する材の間に設ける部材についての請求である。それは建物本体側を支持側として設けられ、外装を構成する材を取り付けるための部材である。そして、断熱材を境界として外側の外装材が受ける温冷熱を断熱材を越えて内部の建物本体へと伝わるのを、間に設けられる部材の一部に金属より温冷熱が伝わりにくい樹脂材を用いることにより建物の断熱性能を向上させる外断熱工法用外装材取付部材。
【発明の詳細な説明】
【技術分野】
【０００１】  本発明は外断熱工法において建物の断熱性能を向上させる部材に関するものである。
【背景技術】
【０００２】  従来、外断熱工法に用いられる建物本体に外装材を取付けるために設けられる部材は金属を用いて製作される物であった。【０００３】  しかしながら、外装材と建物本体をつなぐために設けられる部材は全体が金属でできているため、外装材が受ける建物外部の温冷熱環境を建物本体に伝えてしまい建物の断熱性能をそこなう物であった。
【先行技術物件】
【特許文献】
【０００４】
【特許文献１】特開２０１１−２１４２４３
【発明の概要】
【発明が解決しようとする課題】
【０００５】  解決しようとする問題点は、建物本体より外装材を支持するために設けられる部材が外装材が受ける外部の温冷熱環境を建物本体へ伝えてしまう点である。このように建物の断熱性能がそこなわれることを軽減することを課題とする。
【課題を解決するための手段】
【０００６】  本発明は金属よりも熱が伝わりにくい樹脂材により建物本体と外装材の間に設けられる部材を成形し、建物本体と外装材の間に設けられる部材につなぐための金属製のナットを部材内に共通して１つ設けるのではなく別々に分けて設ける。
【発明の効果】
【０００７】  本発明の外断熱工法用外装材取付部材は、建物本体と外装材が樹脂材を介してつながることによって熱を伝わりにくくする。これにより断熱材により成立する断熱性能がそこなわれるのを低下させる。
【図面の簡単な説明】
【０００８】
【図１】  外断熱工法用外装材取付部材の断面図である。［実施例１］
【図２】  外断熱工法用外装材取付部材の平面図である。［実施例１］
【図３】  外断熱工法用外装材取付部材の正面側立面図である。［実施例１］
【発明を実施するための形態】
【０００９】  建物の断熱性能を向上させるために樹脂材を用いることにより、部品数を最小限におさえ、簡便なものにすることが実現した。
【実施例１】
【００１０】  図１は本発明部材の１実施例の平面図であり、図２は本発明部材の１実施例の断面図であり、図３は本発明の１実施例の正面側立面図である。
【産業上の利用可能性】
【００１１】  外断熱工法用外装材取付部材本体と外断熱工法用外装材取付部材内部材固定用ナットを一体化することにより、部材を建物本体に取り付ける際は、本体をねじることによって取付け、また外装材を部材に取り付ける際には、ボルトによって取り付ける。そして、部材を樹脂材により成形したことにより不陸の調整も部材正面側の面を切削することにより容易に行なえるようになる。このようにより簡便なものとなる。
【符号の説明】
【００１２】  １．外断熱工法用外装材取付部材本体
２．外断熱工法用外装材取付部材本体内ナット
３．断熱材
４．建物本体
５．建物本体設置ボルト
６．外装材
７．外装材取付ボルト
【図１】
2019173528.tif 000003
【図２】
2019173528.tif 000004
【図３】
2019173528.tif 000005
(57)【要約】【課題】幼児が手摺りに手を掛けると、きざみ目により手指に痛みを感じ手摺りを掴むことができない。危険な箇所にバンドだけで後付けできる転落防止てすり装着補助具を提供する。【解決手段】堅く長さのあるＬ型部材の両面端の長さ方向にきざみ目を連続して設け、部材両端にてすり装着固定バンドを設け、つかみずらく痛みを感じる構造としたことを特徴とする転落防止てすり装着補助具。【選択図】図３
2019173532.tif 000002
【特許請求の範囲】
【請求項１】
堅く長さのあるＬ型部材の両面端の長さ方向にきざみ目を連続して設け、部材両端にてすり装着固定バンドを設け、つかみずらく痛みを感じる構造としたことを特徴とする転落防止てすり装着補助具。
【発明の詳細な説明】
【技術分野】
【０００１】本発明は、幼児がベランダのてすりをよじ登り発生する転落事故防止安全対策に関するものである。
【背景技術】
【０００２】従来、幼児がベランダのてすりをよじ登り乗り越えて発生する転落事故を防止する後付けできる簡単な安全対策はなかった。
【発明の概要】
【発明が解決しようとする課題】
【０００３】そのために、次のような問題点があった。
（イ）ベランダのてすりはつかみやすく幼児がよじ登り転落事故多数発生している。
本発明は、これらの問題点を解決するためになされたものである。
【課題を解決するための手段】
【０００４】堅く長さのあるＬ型部材の両面端の長さ方向にきざみ目を連続して設け、部材両端にてすり装着固定バンドを設け、つかみにくく痛みを感じる構造とした。
以上を特徴とする転落防止てすり装着補助具。
【発明の効果】
【０００５】幼児がてすりを掴もうと手摺りに手を掛けると手摺りに装着したきざみ目の補助具により手指が痛く手摺りを掴むことができない。
よじ登りを防止できる。既存のベランダ手摺りに危険な箇所に後付けできる転落防止てすり装着補助具。
補助具（１）の板厚は３ミリ使用によりきざみ目（２）は鋭くない。
【図面の簡単な説明】
【０００６】
【図１】本発明の平面図。
【図２】本発明の側面図。
【図３】本発明を手摺りに取り付けた使用例を示す側面図。
【発明を実施するための形態】
【０００７】以下、本発明の実施の形態について説明する。
堅く長さのあるＬ型部材の両面端の長さ方向にきざみ目を連続して設け、部材両端にてすり装着固定バンドを設け、つかみにくく痛みを感じる構造とした。
本発明は、以上のような構成である。
これを使用するときは、手摺りにバンド（３）を掛け、締め付けプレート（４）で補助具（１）を固定する。補助具（１）が手摺りより少し高くなる位置で本締めする。補助具（１）のきざみ目（２）に幼児の手が触れると痛みを感じ手摺りを掴みにくくなりよじ登ることを防ぐことができる。既存のベランダ手摺りの危険な箇所にバンドで固定するだけで幼児の転落事故を防止できる。
【符号の説明】
【０００８】  １  補助具
２  きざみ目
３  バンド
４  締め付けプレート
５  ヒンジ
６  取り付け穴
７  取り付けネジ
８  手摺り支柱
９  手摺り
１０  滑り防止ストッパーネジ
【図１】
2019173532.tif 000003
【図２】
2019173532.tif 000004
【図３】
2019173532.tif 000005
(57)【要約】【課題】  移動できるポータブルトイレは汚物の臭気が室内にこもり易く、貯留タンクの清掃も必要であった。また水洗トイレは便器を床、壁面に固定するため容易に移動できないものであった。【解決手段】  ポータブルトイレに粉砕カッターと圧送ポンプのある水洗便器を組み込み、可撓性のある排水、給水ホースを接続することにより、任意の場所に容易に移動ことを特徴とする水洗トイレ。【選択図】図２
2019173531.tif 000002
【特許請求の範囲】
【請求項１】
ポータブルトイレの下部底板に粉砕カッターとポンプ圧送装置を備えた水洗便器を固定した水洗トイレ。
【請求項２】
上記水洗トイレの給水、排水のためトイレ移動に追従できる長さと可撓性のある柔らかいホースでの固定しない配管。
【発明の詳細な説明】
【技術分野】
【０００１】  本発明は水洗機能を備え且つ移動が容易なトイレに関するものである。
【背景技術】
【０００２】  身体の不自由な人が室内で用を足すことを目的とする溜め置き式のポータブルトイレは知られている。またそれらの改良型として貯水タンク及び貯留タンクを備える水洗型も開発されている。【０００３】  自然流下で排出できない便並びに紙を強制的に排出するため、圧送装置のある便器もあるが床又は壁に固定する方式である。
【発明の開示】
【発明が解決しようとする課題】
【０００４】  移動できるポータブルトイレは排便、汚物を溜めたタンクを定期的に清掃する必要があるとともに、貯留汚物の臭気が室内にこもり易い欠点があった。【０００５】  水洗トイレは便器を床又は壁面に固定するため容易に移動できないものであった。【０００６】  本発明は水洗トイレであるにかかわらず、居室の任意の場所に移動できることを目的とするためになされたものである。
【課題を解決するための手段】
【０００７】  上記目的を達成するため椅子型にしたポータブルトイレの下部底板に粉砕カッターと圧送ポンプを組み込んだ水洗便器を固定する。その便座は椅子座面に合わせる。【０００８】  トイレへの給水と汚物の排出は可撓性のある固定しないホースにより行う。屋外との連絡には壁面、床の一部を開口して水栓、排水桝等に連結する。
本発明は以上の構成よりなる水洗式ポータブルである。
【発明の効果】
【０００９】  粉砕カッターで汚物を最小化してポンプで圧送するため、排水ホースは小口径でよく、自由に曲げることができることから、トイレは自由に移動できる。またポンプ圧送のため。排出口が便器より高い位置にあっても容易に汚物を排出できる。【００１０】  上記によりトイレ設置の場所を選ばず、汚物貯留タンク清掃も不要であるため常時快適な水洗トイレで排便できる。また普段は人目にふれない場所に置き、必要に応じて寝台横等に設置するなど自由な使用形態もとれる。
【発明を実施するための最良形態】
【００１１】  本発明の外観斜視図を図１に示す。トイレの形状は肘掛（１）を備えた椅子型のポータブルトイレで、身体の不自由な人の着座を容易にする。
【００１２】  椅子下部底板（２）に水洗便器（４）を固定する。水洗便器（４）の底部には粉砕カッター（５）を備えた圧送ポンプ（６）とそれを駆動するモーター（７）で構成される排出装置を設置する。
【００１３】  椅子座面（３）は開口して便座（８）面と合わせる。便器蓋（９）は開閉する。
【００１４】  圧送ポンプ（６）に排水ホース（１１）を接続する。また並行して水洗便器に給水するための給水ホース（１０）を設ける。
【図面の簡単な説明】
【００１５】
【図１】本発明の外観斜視図
【図２】本発明の断面図
【符号の説明】
【００１６】      １    肘掛
２    椅子下部底板
３    椅子座面
４    水洗便器
５    粉砕カッター
６    圧送ポンプ
７    モーター
８    便座
９    便座蓋
１０  給水ホース
１１  排水ホース
【図１】
2019173531.tif 000003
【図２】
2019173531.tif 000004
(57)【要約】【課題】車に乗っていて紫外線から顔と首をさえぎろうとする場合、十分な大きさで手や指に負担をかけずに瞬時にさえぎることができ、運転に支障のないものはなかった。  本発明は、車に乗っているときに紫外線から顔と首を瞬時にさえぎることができ、運転に支障のない日よけ付手袋を提供する。【解決手段】手をかざした時に顔と首を日陰にできる大きさの日除け部に手袋部をつける。【選択図】図３
2019173251.tif 000002
【特許請求の範囲】
【請求項１】
手をかざしたときに顔と首を日陰にできる大きさの日除け部に手に装着するための手袋部を縫い付けたことを特徴とする日除け付手袋。
【発明の詳細な説明】
【技術分野】
【０００１】  本発明は、車内にて紫外線から顔と首をまもるために作られた、日除け付手袋に関するものである。
【背景技術】
【０００２】  従来、晴れていると日なたと日陰ができるが、徒歩だと予め日なたと日陰の境がわかるので日なたの手前で日傘をさすなどの対処をして紫外線をさえぎっている。しかし車に乗っている場合は日なたと日陰の境がわかりづらく、急に日なたになるので、あわてて手をかざして紫外線をさえぎったり、雑誌やうちわなどを持ってさえぎったり、帽子やマスクを着用してさえぎっている。また、バスや電車に乗っている場合は、カーテンを閉めてさえぎることもある。
従来、指４本を入れて使用する携帯用日よけはあった。（特許文献１参照）
【先行技術文献】
【０００３】
【特許文献１】実開平５−９１４１９号公報
【発明の概要】
【発明が解決しようとする課題】
【０００４】  車に乗っていて日なたになった場合、紫外線から顔や首をまもるためにあわてて手をかざしてさえぎっているが、手は小さすぎて顔と首の一部分しかさえぎることはできない。
雑誌やうちわなどを持ってさえぎるには、すぐに手の届くところに準備して置いておく必要があるが、車内は狭く置き場所に苦慮している。また、雑誌やうちわなどを片手で何分も持ちつづけると手や指に苦痛をともない大変である。また、持つ手間があるので瞬時にさえぎるのは不可能である。
帽子やマスクを着用すると蒸れて暑く、しかもヘアースタイルや化粧がくずれて困る。
バスや電車に乗っている場合、カーテンを閉めると景色までさえぎってしまい、不便である。
周囲に針金を通した楕円形の布に指４本をいれて手をかざし、日光をさえぎるものがあるが、針金が入っているので硬くじゃまで、不要になると指からはずす必要があり、つけたり外したりと大変である。また、運転手は運転に支障がある。（特許文献１）
本発明は以上の問題点を解決するためになされたものである。
【課題を解決するための手段】
【０００５】  手をかざしたときに顔と首を日陰にできる大きさの日除け部と手に装着するための手袋部からなる日除け付手袋である。
以上の構成によりなる日除け付手袋。
【発明の効果】
【０００６】  本発明により、車内にて紫外線から顔と首をまもりたい場合、十分な大きさで、手や指に負担をかけずに、瞬時に、景色をさえぎることなく、日光をさえぎることができる。
本発明により、運転手は何の違和感もなく運転することができる。
【図面の簡単な説明】
【０００７】
【図１】  本発明の右手用の手のひら側からの図
【図２】  本発明の右手用の手の甲側からの図
【図３】  本発明の右手用を装着して手をかざしたときの図
【図４】  本発明の右手用を装着して車のハンドルを握ったときの図
【発明を実施するための形態】
【０００８】  以下、本発明の実施の形態を説明する。
（イ）手をかざした時に顔と首を日陰にできる大きさの日除け部（１）に、手に装着するための手袋部（２）を縫い付ける（３）。
（ロ）日除け部（１）の中心に手袋部（２）を縫い付ける（３）とすべての指が日除け部（１）に隠れてしまいナビやエアコンなど指先を使う操作がしづらくなるので、手袋部（２）は親指側に寄せて縫い付け（３）なおかつ親指と人差し指の先が見えるように日除け部（１）は斜めに切り落とし米粒のような形にする。
（ハ）手袋部（２）は日除け部（１）の長手方向とほぼ平行になるように設ける。
（ニ）手袋部（２）の外周をぐるりと日除け部（１）に縫い付ける（３）と指先を動かすとき日除け部（１）に引っ張られて動かしにくいので、日除け部（１）と手袋部（２）の縫い付け（３）は、親指は自由に使えるように縫い付けず、人差し指は自由に使えるように第三関節あたりの位置から手首まで縫い付ける（３）。小指は自由に使えてなおかつ日除け部（１）の中心と手袋部（２）の融合を目的として第二関節と第三関節のあいだの第二関節寄りの位置から手首まで縫い付ける（３）。
（ホ）中指と薬指は縫い付けても縫い付けなくてもどちらでもよい。
（ヘ）日除け部（１）は生地でなく任意素材でもよい。
（ト）手袋部（２）はフィンガーレスでもオープンフィンガーでも良い。ただし人差し指は第三関節まで、小指は第二関節までの長さがあること。また、ミトンなど人差し指が独立していないものは運転に支障があるので不可。
（チ）縫い付けは（３）は糸による縫合ではなく接着剤などを使用してもよい。
本発明は以上のような構造である。
本発明を使用するときは、日除け部（１）を縫い付けた（３）手袋部（２）を手に装着する。
車内にて日光をさえぎる場合は、装着している手をかざす。手をかざすだけで瞬時に、顔と首に紫外線があたるのをさえぎることができる。日除け部（１）は縫い付けて（３）あり手や指で持つ必要がないので手や指が痛くなることがなく、顔に触れないのでヘアースタイルや化粧がくずれることもない。
運転する場合は、装着している手で車のハンドル（４）を握る。日除け部（１）は針金などを使用していないのでどこかにぶつかることもなくナビやエアコンなど指先を使う操作も容易にでき運転に何の支障もない。
指が自由に使えるので飲食したりスマホや筆記用具などを使用することが容易にできる。
【符号の説明】
【０００９】  （１）日除け部、（２）手袋部、（３）縫い目、（４）車のハンドル
【図１】
2019173251.tif 000003
【図２】
2019173251.tif 000004
【図３】
2019173251.tif 000005
【図４】
2019173251.tif 000006
(57)【要約】      （修正有）【課題】電動の毛玉取り機は使用頻度が高くないにもかかわらず割合高価なものもあり、手入れも必要で毛玉以外の繊維も刈り取ってしまうなどの欠点もある。又、毛玉取りブラシは効率が悪く使用法に熟練を要する。本発明は手入れが簡単で、使いたい時にすぐに使えて故障の心配が無い毛玉取りを提供しようとするものである。【解決手段】片側の先端を丸く成形した太さが１ｍｍ前後で縫い針ほどの長さの線材１を複数本、丸く成形した先端を揃えて櫛の歯状に並べ、線材１と線材１との間隔を繊維は素通りするが毛玉は通り抜けられない間隔に調整し、複数の線材の丸く成形した先端２に対して反対側の端３を、持ち手４を成す部材に固着し、複数の線材１と持ち手４を成す部材とによって櫛の形状を構成した毛玉取り具。【選択図】図１
2019173250.tif 000002
【特許請求の範囲】
【請求項１】
片側の先端を丸く成形した太さが１ｍｍ前後で縫い針ほどの長さの線材を複数本、丸く成形した先端を揃えて櫛の歯状に並べ、線材と線材との間隔を繊維は素通りするが毛玉は通り抜けられない間隔に調整し、複数の線材の丸く成形した先端に対して反対側の端を、持ち手を成す部材に固着し、複数の線材と持ち手を成す部材とによって櫛の形状を構成し、当該櫛の形状物を、複数の線材の丸く成形した方の先端を毛玉の生じている布に接触させながら、複数の線材を布面に対して僅かな傾斜を保たせながら線材の丸く成形した先端の方向に滑らせると毛玉が生じていない繊維は線材と線材との間の隙間によって梳かれるだけだが毛玉が生じている繊維は毛玉が線材と線材との間の隙間に引っ掛かるため毛玉の毛足を引きちぎることになり、結果として毛玉を除去できる構成とした毛玉取り具。
【発明の詳細な説明】
【発明の詳細な説明】
【技術分野】
【０００１】    本発明は布の表面に生じた毛玉を取る道具の構造に関するものである。
【発明の概要】
【発明が解決しようとする課題】
【０００２】    毛玉取り機は種々のものが考えられているが、その殆どは電池、又は、家庭用電源で動作する電動式で使用にあたっては布を傷める恐れもあるため注意を必要とする。又、他の家電製品に比べて使用頻度が高くないにもかかわらず手入れを必要とし、故障や電動刃の摩耗、損傷の恐れもある。また、毛玉取りブラシは使い方が難しく、且つ、効率的でない。本発明は手入れが簡単で、使いたい時にすぐに使えて故障の心配が無い毛玉取りを提供しようとするものである。
【課題を解決するための手段】
【０００３】    本課題を解決するため次のような単純な構造の毛玉取り具を考える。
太さが１ｍｍ前後で縫い針ほどの長さの線材（１）の一方の端を丸く成形したものを多数用意し、線材（１）と線材（１）の間の間隔を、毛玉（８）は通り抜けられないが布面表面の繊維（１４）は素通りする狭さに調整し、丸く成形した端（２）の側を揃えて、多数の線材（１）を櫛の歯状に並べ、丸く成形した端（２）に対して反対側の端（３）を持ち手（４）を成す部材に固着すると共に、それによって線材（１）と線材（１）との間の隙間（５）の間隔を保持する構成とする。
以上の構成を成す毛玉取り具で毛玉（８）を取る作業を図３によって説明すると、本毛玉取り具の線状を成す、多数の線材（１）の丸く成形した端（２）の列を布面（１２）に接触させながら本毛玉取り具を布面（１２）に対して若干の角度を保たせながら矢印（７）の向きに滑らせる。すると布面（１２）上に生じている毛玉（８）の毛足（１３）が多数の線材（１）と線材（１）との間の隙間（５）によって梳かれるが、毛玉（８）は隙間（５）を通り抜けられないため、櫛の歯状に並べられている多数の線材（１）によって掬い上げられ、毛玉（９）の状態となる。なおも本毛玉取り具を矢印（７）の方向に滑らせると、毛玉（９）は毛玉（１０）、毛玉（１１）の状態に推移し、毛足（１３）が布面（１２）から引きちぎられる。結果として布面（１２）上に生じている毛玉（８）は取り除かれる。
【図面の簡単な説明】
【０００４】
【図１】本発明の斜視図
【図２】図１の点線円（６）が示す部分の拡大平面図
【図３】本発明の動作を説明する側面図
【符号の説明】
【０００５】１  線材
２  線材の丸く成形した端
３  線材の丸く成形した端と反対側の端
４  持ち手
５  線材と線材との間の隙間
６  点線の円
７  矢印
８  毛玉
９  毛玉
１０  毛玉
１１  毛玉
１２  布面
１３  毛足
１４  繊維
【図１】
2019173250.tif 000003
【図２】
2019173250.tif 000004
【図３】
2019173250.tif 000005
(57)【要約】【課題】本発明は、ダンス等で使用するポンポンの製造方法に関する。従来の製造方法は、テープが抜け易く耐久性がないことが課題となっている。【解決手段】本発明はホッチキス等の針２を用いてテープを固定することを特徴とする。ポンポンの結束部は、複数のテープを重ねたテープ１の中央の結束部をＺ字に折りたたみ、ホッチキス等の針２で固定して束３を作る。次に、束３を複数重ねて、結束バンド４によりテープの中央部を結束した後、テープ１を１枚毎つまんで放射状に開いて球状に仕上げて製造する。結束部が緩んでも、重ねたテープがずれたり抜けたりしない耐久性のあるポンポンを製造できる。【選択図】図１
2019173249.tif 000002
【特許請求の範囲】
【請求項１】
細長い複数のテープを重ねたテープの中央を結束した後、一枚毎に放射状に広げて成る球状のポンポンの製造方法において、
細長い複数のテープを重ねたテープの中央をＺ字に折りたたみ、ホッチキス等の針で止めた束を製作し、この複数の束を揃えて重ねた後、束の中央を結束バンド等により結束した構造を有することを特徴とする耐久性のあるポンポンの製造方法。
【発明の詳細な説明】
【技術分野】
【０００１】  本発明は、チアリーダー等が使用するポンポン（以下、単にポンポンという。）に於いて耐久性のあるポンポンの製造方法に関する。
【背景技術】
【０００２】  従来のポンポンの製造方法は、図２の（Ａ）及び（Ｂ）に示すように、一定の長さのテープ１を重ね、中央部を結束バンド４により結束して束３を製作した後、この束を単体（Ｂ）もしくは、複数（Ａ）の束３のテープを放射状に開いて球状のポンポンを製造することが公知である（特許文献１）。
【先行技術文献】
【特許文献】
【０００３】
【特許文献１】特開２００７−０７７５２０号広報
【０００４】
【特許文献２】実用新案公告昭６１−２４２９１号広報
【特許文献３】実開平５−３３７９８８号広報
【発明の概要】
【発明が解決しようとする課題】
【０００５】  前述、従来のポンポンは、テープ１が結束バンド４で固定されるが、激しく振って使用するものなので、プラスチック素材のテープ１及び結束バンド４が変形して隙間が発生する。このため、結束部が緩み、テープが抜けて、耐久性がなくなることが、解決すべき課題となっている。【０００６】  本発明は、結束バンドが緩んでもテープが抜けないポンポンの製造方法に関する。
【課題を解決するための手段】
【０００７】  本発明は、ホッチキス等の針２を用いてテープを固定することを特徴とする。係るポンポンの結束部は、複数のテープを重ねたテープ１の中央の結束部をＺ字に折りたたみ、ホッチキス等の針２で固定して束３を作る。次に、束３を複数重ねて、結束バンド４によりテープの中央部を結束する。
【発明の効果】
【０００８】  発明の効果の第一は、テープ１をホッチキスで止めることで、結束部が緩んでも、テープが抜けないため、耐久性がある。
【図面の簡単な説明】
【０００９】
【図１】  本発明に係るポンポンの製造工程を提示した図である。
【図２】  従来のポンポンの特許に添付された図である。
【発明を実施するための形態】
【００１０】  この発明の実施形態の一事例を図１に示す。製造工程を上から下へと矢印で表記する。図１の上の図は、幅５ｃｍ、長さ４０ｃｍの細長いテープを１５枚重ねたテープ１を３個用意する。次に、重ねた各テープ１の中央部をＺ字に折り、ホッチキス針２で止めた束３を３個製作する。次に、束３の端部を３個揃えて重ね、中央部を結束バンド４で結束する。最後に、重ねたテープを１枚毎つまんで放射状に開くと、球状のポンポン５が得られる
「実施形態の効果」
この実施形態によれば、テープ１をホッチキスで止めることで、結束部が平らになり、重ね易くなり、テープを簡単に揃えることができる。束の端部と中心を揃える程、真円に近い、理想とする球形のポンポン５を容易に製造できる。
以上の実施形態では、３束用意したが、直径の大小によってテープ本数もしくは束数を増減しても構わない。
【符号の説明】
【００１１】１  テープ
２  ホッチキス針
３  束
４  結束バンド
５  一枚毎に放射状に開いたテープ
６  完成したポンポン
７  従来のポンポン
【図１】
2019173249.tif 000003
【図２】
2019173249.tif 000004
(57)【要約】【課題】アドレスｔｅｌ連絡範囲半径１ｋｍ以内のスマホに加えて、個人情報、プライバシーを保護し、必要以上に連絡がとれすぎない、関係をもちすぎないように環境をととのえる。だが、ナビゲーション機能を尊重し、位置情報をつかいたいときは使えるようにしたい。【解決手段】スマホからカメラとＧＰＳをとり出して、別売にする。スマホの上にカメラをガチャとはめる要領で、必要ない時は、スマホから外すことで、電源をおとす。スマホ側に写真ファイルがあるが、ＳＤをとりだせることにより、ＧＰＳ機能を使いたいときだけ使って被害を防止する。【選択図】図２
2019161630.tif 000002
【特許請求の範囲】
【請求項１】
カメラとスマホが別々のつくりになっていて、合体が可能なもの。
カメラ側にＧＰＳ機能があり、スマホ側にＧＰＳ機能がなく、ＳＤがとりだせる構造。カメラの種類は、専門会社からもってきて、内臓する。
【発明の詳細な説明】
【技術分野】
【０００１】本発明は、カメラを外すことのできるスマホである。
【背景技術】
【０００２】従来品は、スマホにカメラは内臓されている。
スマホには、ＧＰＳという位置情報が入っていることが多く、それは、子供用だと、今どこにいるかがわかり、迷子を防ぐことができる。
位置情報とカメラの写真がくっつくと、のぞき見の原因になってしまう。
位置情報があることにより、ナビゲーション機能をもつことができる。
【発明の概要】
【発明が解決しようとする課題】
【０００３】スマホの中にカメラが内臓され、とった写真にＧＰＳ（位置情報）をつけることによって、うつされた人をおいかけることができてしまう。
これにより、スマホは盗聴・盗撮の道具にも代わってしまう。
半径１ｋｍ以内のスマホに加えて、同種の目的として、盗聴、盗撮、のぞき見を防止することが大切である。
アドレスｔｅｌの連絡範囲が１ｋｍ以内というのでも大体プライバシーを守れているのであるが、やはり、スマホというインターネットにつながったでんわにＧＰＳつきの写真や個人情報が流れてしまうことを更に完ぺきになくしたい。
【課題を解決するための手段】
【０００４】スマホが個人情報流出の道具にならないために、カメラとＧＰＳ機能をスマホと別々にして売るようにする。つまり、カメラで写真とるときと、ナビゲーション機能をつかうときは、スマホの上にガチャとＧＰＳ付カメラをはめる。
それ以外の用のないときは、ガチャと上部カメラを外して、カメラ側の電源を切り、下のスマホだけをもち歩く。スマホ側に写真ファイルが存在する。
これは、ＳＤをとり出しできるようにして対応する。
基本的に、半径１ｋｍ以内のスマホが強拡になっているので、十分消えており、プライバシーは十分保てているが、完全を帰すためにこのように対応を強化している。
【発明の効果】
【０００５】ＧＰＳ機能つきカメラを別売にし、組合せて使う。用のないときは、ＧＰＳつきカメラを電源切るので、のぞき見防止効果がある。
カメラは、バリエーションにするので、組合せをたのしめる。
カメラは従来品よりも、特徴的な、専門性のたかいものを内臓とする。
たとえば、ニコンなどのカメラ会社の中で、高価すぎて、売れ行きがわるく、赤字の原因になっている機種をあえて内臓することで、売れ行きを捉進し、黒字化を目標とする。
携帯会社の所有となる範囲だが、カメラの性能は、専門性の高いものを内臓することにより、会社の安定化を企画する。
【図面の簡単な説明】
【０００６】
【図１】カメラとスマホが合体した裏面図
【図２】カメラとスマホを分離した裏面図
【発明を実施するための形態】
【０００７】スマホとカメラは、別売であり、組合せは自由である。
カメラの横に電源があり、使用後すぐに切る。
２のスマホは、４がＳＤとりだし口であり、ナビゲーションを必要とする時とカメラを使うとき以外は、ＳＤは不要である。
１カメラは、カメラ会社からきた機種か、一般の携帯会社のカメラを使用する。用途として、一般用、旅行用、望遠カメラ（スピードがでた車内からでも撮影可能なケーサツ用など）、専門性の高い高度機能をもつものなどバリエーションがあり、目的に応じて、とりかえがきく。そのため、上部カメラは、多めにもっていてもいい。
【図１】
2019161630.tif 000003
【図２】
2019161630.tif 000004
(57)【要約】【課題】  従来の上部が開いた花器の内壁の上下に輪を水平に１つずつ設けてその輪に花を挿す花器は洗う時に下の輪が邪魔になる欠点があった。そして輪の直径が小さいと太い茎の花は挿せない欠点があった。【解決手段】  本発明は三角形で上部が開いた花器の３つの角の内壁の上部に輪（１）を１個ずつ水平に設ける。下の輪はなくして代わりに、上の３つの輪の真下の底に輪の内径と同じ直径の丸い窪み（２）を設けて、上の輪から刺した花を輪とその下の窪みで支えて直立させる。下の輪がなくなり花器は洗いやすくなる。輪と窪みの直径は大きくして太い茎の花を挿せるようにする。花の茎が細い場合あるいは花の茎が短くて茎が窪みに届かない場合は輪の内径より細い竹筒や樹脂製の筒を輪に挿してその筒に花を挿すと細い茎の花も短い茎の花も直立させることができる。【選択図】図１
2019130266.tif 000002
【特許請求の範囲】
【請求項１】
３つの角の内壁の上部に輪を１個ずつ水平に設けて、輪の直下の底に丸い窪みを１個ずつ設けた上部が開いた三角形の花器
【発明の詳細な説明】
【技術分野】
【０００１】本発明は花を挿すために内壁面に水平に１個の輪を設けて、その直下の底に窪みを設けた花器に関するものである。
【背景技術】
【０００２】内壁面に水平に輪を設けて花を挿す花器は輪を上下に設けていた。花は上の輪から刺して下の輪を通して花を上下の輪で支えて直立させていた。
【先行技術文献】
【特許文献】
【０００３】
【特許文献１】特開２０１６−２０９４９５
【発明が解決しようとする課題】
【０００４】しかし、この花器を洗う時には、下にある輪が邪魔になる欠点があった。そして輪の直径が小さいと太い茎の花は挿せない欠点があった。
【課題を解決するための手段】
【０００５】本発明は、それを解決するために下の輪を無くして代わりに上の輪の直下の底に丸い窪みを設ける。そして太い茎の花を挿せるように輪と窪みの直径を大きくする。花の茎が細い場合あるいは花の茎が短くて茎が窪みに届かない場合は輪の内径より細い竹筒や樹脂製の筒を輪に挿して、その筒に花を挿すと細い茎の花も短い茎の花も直立させることができる。
【発明の効果】
【０００６】下の輪がなくなり花器は楽に洗えるようになり、上の輪から刺した花の下部は底にある窪みに落ちて、花は上の輪と底の窪みで支えられて直立できる。輪と窪みの直径が大きくなり太い茎の花を挿せるようになる。花の茎が細い場合あるいは花の茎が短くて茎が窪みに届かない場合は輪の内径より細い竹筒や樹脂製の筒を輪に挿して、その筒に花を挿す。
【図面の簡単な説明】
【０００７】
【図１】三角形で上部が開いた花器の３つの角の内壁面の上部に輪（１）を１個ずつ、その直下の底に窪み（２）を１個ずつ設けた花器の斜視図である。
【発明を実施するための形態】
【０００８】図１に示されるように、三角形で上部が開いた花器の３つの角の内壁の上部に輪（１）を１個ずつ水平に設ける。花器の底に丸い窪み（２）を作るために３つの輪の真下の底に輪の内径と同じ直径の丸い穴をあけて、その穴の直径より少しだけ大きな直径の円盤（３）で穴を下から塞いで花器から水が漏れないようにする。それで花器の底に丸い窪み（２）が３個できる。３つの円盤は花器の高台（３）の働きをする。
【符号の説明】
【０００９】１  輪
２  窪み
３  高台（円盤）
【図１】
2019130266.tif 000003
(57)【要約】      （修正有）【課題】就寝時、足が冷えて困っている人の為の毛布製冷え症用足包衣を提供する。【解決手段】くつ下のように弾性がなく、足首のところで、ズリ抜け用のゴムで止めないため、体液の循環が良い。そして就寝時、素肌感覚が持てるようにするため、足のスネの前で交差して片方のゴムを、土踏まずに渡して、左・右のゴムを足の甲の中心より内側で結ぶ。軽いと云う事と柔軟性を求めるので、すべて、カーブと直線の普通縫いとし、縫い目は外で、内側は、足の肌に当るように、そして起毛の多い方が肌に当るようにする。【選択図】図１０
2019130269.tif 000002
【特許請求の範囲】
【請求項１】
毛布の起毛の多い方が、足の肌に当るように作り、弾性がなく、ゆるみを多く取ってあるのでこの毛布製冷え症用足包衣は暖かく、素肌感覚で眠れる。
【請求項２】
ロックや巻き縫いで端を始末すると重くなり、板状になるので裁ち切りのままの方が軽い。就寝時暖かく軽いと云う事も重要である。
【発明の詳細な説明】
【技術分野】
【０００１】この発明は、就寝時、足が冷えて困っている人の為の毛布製冷え症用足包衣である。
【背景技術】
【０００２】従来就寝時足が冷えて困っていた人には、くつ下の重ね履きを助言されていた。
【発明の概要】
【発明が解決しようとする課題】
【０００３】くつ下の重ね履きは次のような欠点があった。
（イ）くつ下は弾性の為足の肌に密着感があり、素足感覚がない。
（ロ）冷え症は足のスネも冷える、その所にずり落ち防止用のゴムで締めると、血行障害を助長する。
本発明は以上のような欠点をなくす、ために、なされたものである。
【課題を解決するための手段】
【０００４】（イ）製図用紙に図１、図２、図３のように製図し、毛布を図４、図５、図６のように裁つ
（ロ）図４の底部のｘに図５のＹを中心に、Ｄ４、Ｄ５をＡ１（底脇点）そしてＤ１  Ｄ２をＡ２（底脇点を縫う。これが前部になる。
（ハ）図４の底部Ｃに、図６の布のＺを中心にＥ１、Ｅ２をＡ１（底脇点）、そしてＥ４、Ｅ５をＡ２（底脇点）と縫う。これが腫の部分になる
（ニ）底脇点（Ａ１）の上に前足布Ｄ６とＥ３を普通縫い。底脇点（Ａ２）の上に前足布Ｄ６と図６のＥ３を縫う、これが脇線になる。
（ホ）仕上り後図６の外側上から４ｃｍの所に図８のように右・左３８ｃｍ〜４０ｃｍのゴムを中心で縫いつける。この１ｃｍの平ゴムが装着時ゴムを縛っても圧迫感を感じない。
（ヘ）図８のようにゴムを図９のように足のスネの前で交差して片方のゴムを、土踏まずに渡して図９のように、左・右のゴムを足の甲の中心より内側で結ぶ。
（ト）軽いと云う事と柔軟性を求めるので、すべて、カーブと直線の普通縫いである。そして縫い目は外で、内側は、足の肌に当るように、そして起毛の多い方が肌に当るようにする。
【発明の効果】
【０００５】毛布製冷え症用足包衣は、平ゴムを縫いつけて、土踏まずの所へ、ゴムを渡して足の甲の内側上で結ぶため圧迫感がなく、そして、ゴムと足包衣は一体になっているので足衣とゴムを探すと云う事はない。
【図面の簡単な説明】
【０００６】
【図１】は底部となる製図である  ｘはつま先  Ｃは腫
【図２】は前部になる  Ｇは前中心のわである製図である。
【図３】は後部になる製図である  Ｈは後中心のわである
【図４】の▲１▼は毛布製足包衣の底部  Ａ１は底脇点  Ａ２は底脇点  ｘはつま先  Ｃは腫
【図５】の▲２▼毛布製足包衣の前面と側面  Ｙはつま先  Ｆは足を入れる口である。
【図６】の▲３▼は毛布製足包衣の後部  Ｚは腫の中心  Ｆは足を入れる口である。Ｅ３、Ｅ５はＡ１、Ａ２の底脇点からＦまでの脇線である。
【図７】は  平ゴム  ８０ｃｍ  巾  １ｃｍ  厚み０．１ｃｍの図である。
【図８】は仕上り後ゴムを縫いつけたイラストである
【図９】は装着時ゴムを土踏まずに渡して結んだイラストである。
【図１０】は、左右の足に装着したイラストである。
【発明を実施するための形態】
【０００７】以下本発明を実施する形態について説明する
くつ下サイズ            ２４ｃｍ
ゆるみ        前          ２ｃｍ
後          ２ｃｍ
左右横        ２ｃｍ
ぬい代                １．５ｃｍ
平ゴム                  ８０ｃｍ
巾          １ｃｍ
厚み    ０．１ｃｍ
【０００８】〔縫い方の要点〕
図４のｘと図５のＹを合せ、Ｂ１、Ｂ２の上にＤ４、Ｄ５を乗せてＡ１の底脇点まで普通縫いで縫う。
そして図４のｘと図５のＹを合せＢ３とＢ４に図５のＤ１、Ｄ２をＡ２の底脇点まで普通縫いで縫う。
また図４のＣと図６のＺを合せＣ１とＥ１を底脇点Ａ１まで普通縫いで縫う。
また左右同じであるが図４のＣと図６のＺを合わせＣ２とＥ４をＡ２の底脇点まで縫う。
脇線は底脇点から図５のＤ６と図６のＥ３そして図５のＤ３と図６のＥ３を縫ったものである。
【図１】
2019130269.tif 000003
【図２】
2019130269.tif 000004
【図３】
2019130269.tif 000005
【図４】
2019130269.tif 000006
【図５】
2019130269.tif 000007
【図６】
2019130269.tif 000008
【図７】
2019130269.tif 000009
【図８】
2019130269.tif 000010
【図９】
2019130269.tif 000011
【図１０】
2019130269.tif 000012
(57)【要約】      （修正有）【課題】カーテンを使用することは、プライバシーの保護は出来るが、陽射しを遮る行為である。雨の日などは、家の中全体が暗くなり明かりを付ける必要さえ出来てくる、陽射しは人にしても作物にしても必要不可欠のものである。そうかと言ってプライバシーもおろそかには出来ない、これらすべてを解決する必要がある。これらを解決する為のカーテン収納部本体が移動するカーテンの提供。【解決手段】カーテン収納部分本体丙を上下に自由に移動させることにより明かりの取りいれを調整する。【選択図】図１
2019130265.tif 000002
【特許請求の範囲】
【請求項１】
２の天井部分などに取り付けられたカーテン収納部分固定部甲とカーテン収納部分本体丙との間に隙間を作ることにより明かりを取りこむことを目的とするカーテン収納部分が移動するカーテン。
【請求項２】
天井部分２などの高いところに取り付けられたカーテン収納部分固定部
2019130265.tif 000017
の位置に３の紐を使い昇降コード１を動かし、カーテン収納部分本体丙を自由な位置に上下に移動させ、どの位置にも止めることの出来る請求項１に記載したカーテン収納部分の移動するカーテン。
【請求項３】
2019130265.tif 000018
ことによって、カーテン収納部分固定部甲の取り付け部分との隙間を
2019130265.tif 000019
この為、明かりの取りいれを自由に変えることが出来ることを特徴とする、請求項２に記載したカーテン収納部分の移動するカーテンである。
【発明の詳細な説明】
【技術分野】
【０００１】本発明は、図１のカーテン収納部分本体丙を図２、図３、図４、図５で解るようにカーテン収納部分本体丙を３の紐を使い昇降コード１動かし
2019130265.tif 000003
することの出来る、カーテン収納部分が移動するカーテンで有る。
【背景技術】
【０００２】  従来から使用されてきたカーテン収納部分丙は、図１のようにカーテン収納部分固定部甲の部分に直接取りつけてあり隙間など全くないものであった。その為カーテンを床の部分までおろした場合明かりを取り入れるところがなくなり、部屋全体が暗くなってしまった。
これらを改善する為に考案されたカーテン収納部分が移動するカーテンである。
【発明の開示】
【発明が解決しようとする課題】
【０００３】  従来のカーテンは、カーテン収納部分をカーテン収納部分固定部甲に固定して取り付け使用されていた。
その為にカーテン使用時は部屋全体が暗くなってしまうと言う欠点があった。これを解決する為に考え出されたカーテン収納部分の移動するカーテンである。
【課題を解決する為の手段】
【０００４】  本発明はカーテン収納部分固定部甲からカーテン収納部分本体丙を
2019130265.tif 000004
カーテン収納部分固定部甲とカーテン収納部分本体丙との間に
2019130265.tif 000005
出来るカーテン収納部分が移動するカーテンである。
【発明の効果】
【０００５】本発明は、カーテン収納部分固定部甲からカーテン収納部分本体丙を
2019130265.tif 000006
明かりを取り込むことが出来て、部屋の中を明るく過ごしやすいリラックスの出来る空間に変えることの出来る、カーテン収納部分が移動するカーテンである。
【発明の実施する為の最良の形態】
【０００６】  以下本発明の実施する為の形態について図面を参照にして説明する。
【０００７】  図１のカーテン収納部分固定部甲とその部分に取り付けられたカーテン収納部本体丙を図２、図３、図４、図５、の
2019130265.tif 000007
カーテン収納部分固定部甲から切り離す。又、カーテン４を図５のように床６より上の位置にカーテンの下の部分を紐５を使いＡの位置に
2019130265.tif 000008
カーテン下の部分Ａの位置と床６との間からの光を取り入れることができ、他人の目を気にすることなく相乗効果により  部屋全体に明るさを取りこむ事が出来る、カーテン収納部分が移動するカーテンである。
【実施例】
【０００８】カーテン収納部分固定部甲より、カーテン収納部分本体丙を
2019130265.tif 000009
昇降コード１を上下に動かしカーテン収納部分固定部甲とカーテン
2019130265.tif 000010
このことにより、本考案を使用すれば明かりの取りいれの調整が自由に出来るようになる。
カーテン下部をＡの位置に止めることにより床６とカーテンＡの間に隙間をつくり出し、部屋の中に上下から有効な光を取り入れる事が出来た。このように他人を気にすることなく天井部分の隙間と床の部分の隙間を自由につくり出すことが出来る。
程度に広げることにより両方の隙間から明かりを取りこむことが出来部屋の中が明るく快適であった。本考案は上記のように便利なカーテン収納部分が移動するカーテンである。
【産業上の利用の可能性】
【０００９】近年窓は、ガラス窓が広く取られるようになり、家の中ら外を見るのには非常に都合が良くなったが、その半面外から中を見られるプライバシーの問題が起こり、カーテンが多用されるようになった。その為、家の中に光のさしこむ量が抑えられ雨の日は昼間でも家の中が暗くなり、明かりをつける必要も出来てきた。見えるはずの外が見えないことは不自由なことである。
本考案を使用すれば、甲とカーテン収納部本体丙の隙間
2019130265.tif 000011
ことができ明るさを確保することが出来る。光の取り込みを確保して、なおかつプライバシーの問題も解決が出来る。高齢化の時代において高齢者にとって自然に差しこむ陽射しは時間が解る目安であり、かつ健康を保つ為のもとでもある、陽が時を刻むのであって人が時を刻むものではないゆえに絶対的に必要な物だと考えられる。本考案はそれらを満たすことが出来る優れ物で有る。本考案はこのような使用構造で有るので産業上の利用価値ある、カーテン収納部が移動するカーテンである。
【図面の簡単な説明】
【００１０】
【図１】本発明の基本となるカーテン収納部分が移動するカーテン。
【図２】本発明のカーテン収納部分丙が丙｀の位置まで移動した図面である。乙は、本発明を実行した時の明かりとりの広さを表す。
【図３】
2019130265.tif 000012
【図４】
2019130265.tif 000013
【図５】
2019130265.tif 000014
【符号の説明】
【００１１】１、昇降コード
２、天井部分
３、１の昇降コード動かす為の紐
４、カーテン
５、４のカーテンを昇降させる為の紐
６、床の部分
甲  カーテン収納部分固定部
2019130265.tif 000015
カーテン収納部分との隙間
丙  カーテン収納部分本体
2019130265.tif 000016
Ａ  途中で止めたカーテンの位置
【図１】
2019130265.tif 000020
【図２】
2019130265.tif 000021
【図３】
2019130265.tif 000022
【図４】
2019130265.tif 000023
【図５】
2019130265.tif 000024
(57)【要約】【課題】従来の自転車エルゴメーターをひたすら漕ぐことによって使用者が感ずる飽きることと精神的な苦痛を緩和することのできる動画装置付きの自転車エルゴメーターを提供することである。【解決手段】従来の自転車エルゴメーター（図１）に動画装置を装着した。使用する者は負荷調整ダイアル（３）を自分の能力に合わせて強弱の程度を設定しペダルを漕ぎ始める。漕いでいるうちに動画装置のスイッチを入れ自分のペースに合った動画映像を選ぶ。動画映像はあらかじめ自転車を漕いで走った時の各種のスピードで撮影した時の映像を用いる。動画装置は時間、速度、距離、カロリー及び心拍数を示す数値メーターとは別にしたもの（図２）または一体化させたすなわちパッケイジ化したもの（図３）がある。動画映像を見ながらペダルを漕ぐことにより動作に飽きることや精神的な苦痛を緩和する効果がある。【選択図】図４
2019130264.tif 000002
【特許請求の範囲】
【請求項１】
動画装置付き自転車エルゴメーター
【発明の詳細な説明】
【技術分野】
【０００１】  本発明は動画装置の付いた自転車エルゴメーターに関するものである。本発明は健康増進のための健康用機器であり本機器製造産業の発展に寄与するものであり、産業上有用である。
【背景技術】
【０００２】  従来、自転車エルゴメーターは自宅やスポーツジムにて健康増進のために、また、医療現場にて心疾患のリハビリ用としてその発症予防治療に使用されている健康用機器である。その使用方法は極めて簡単で、その機器の自転車用ペダルをひたすら漕ぐという単純な動作により目的の運動量を達成させるというものである。この機器に取りつけられたメーターは、ペダルを漕ぐ運動量を熱エネルギーに変換して数値化することにより、時間、速度、距離、カロリー及び心拍数などをデジタル数値で表示するようになっている。しかしながら、この機器を使用する者はひたすらペダルを漕ぐだけの単純動作継続のため途中ペダルを漕ぐ動作に飽きてしまう、あるいはむしろ精神的に苦痛さえ感じることも多かった。
【先行技術文献】
【０００３】
【文献１】
特開平０７−１００２２４号
【文献２】
実開平０５−０４４１５３号
【発明の概要】
【発明が解決しようとする課題】
【０００４】  従来の自転車エルゴメーターに動画装置を装着して、動画映像を見ながらペダルを漕ぐことにより、単純な動作継続中に飽きることや精神的な苦痛を緩和しようとするものである。
【課題を解決するための手段】
【０００５】従来の自転車エルゴメーター（図１）に搭載されたデジタル数値を示す機器であるメーター（５）のほかに動画装置（１１）を装着した。動画映像の内容としては例えば並木道路、堤防道路あるいは競技場など実際に自分が自転車を漕いでいるかのごとく変わる風景など臨場感がある映像が適当であるが、人や動物であってもよい。ペダルを漕ぐ動作中に飽きることや精神的な苦痛が緩和され気分が癒されるような動画映像が良い。動画映像はあらかじめ動画装置本体かビデオカメラやスマートフォンなどを用い７−８種のスピードで自転車に乗って漕いだ時の映像を記録し、それをメモリー体に保存し、本発明の動画装置に組み込む。ペダルの回転速度により風景変化が速くなったり遅くなったりする映像を適宜選んで切り替える。負荷の強弱は負荷調整ダイヤル（３）であらかじめ一定の負荷にしておくが途中での切り替えもできる。この動画装置（１１）はメーター（５）と単独に装着して使用するのが容易だが、動画装置部とメーター部とをそれぞれ型を変えて一体化させたもの（図３）も可能である。
【発明の効果】
【０００６】あらかじめ記録した臨場感のある動画映像を見ながらペダルを漕ぐことにより、単純動作の継続である漕ぐことの飽きることや精神的な苦痛を和らげる効果がある。
【図面の簡単な説明】
【０００７】
【図１】従来のエルゴメーターの右斜視図
【図２】［図１］のハンドル部分の拡大図に動画装置を装着した本発明の右斜視図
【図３】動画装置部とメーター部を一体化した本発明の右斜視図
【図４】本発明の１つの全体の右斜視図
【発明を実施するための形態】
【０００８】１つの実施の形態を示す。初めに従来の自転車エルゴメーターの技術を示さなければならない。使用者はサドル（８）に腰を掛けハンドル（６）を握りペダル（７）に足をかける。次に負荷調整ダイヤル（３）を調節して負荷の強弱を設定する。ダイアルの目盛は１−８程度まで設定しダイアル１は弱く順次強くなりダイアル８は最も強く負荷がかかる。負荷調整ダイヤル（３）は熱変換器（４）と電気コードＡ（１）にて、熱変換器（４）はさらに電気コードＢ（２）にてメーター（５）と接続されている。熱変換器（４）は前脚（９）とサドル（７）の支柱で固定されている。ペダルを漕ぐことにより運動量がデジタル数値になってメーター（５）に表示される。以上が従来の技術である。本発明の構成は以下のようである。あらかじめ並木道路、堤防道路あるいは競技場での自転車に乗ってペダルを漕いだ時の風景変化を、速度を変えて例えば約５−４０Ｋｍ／ｈｒで７−８種の速度で各１５分程動画装置に録画し、その録画装置を既存の自転車エルゴメーターのハンドル部に装着する。負荷調整ダイヤル（３）を例えば目盛４に設定する。運動をする者はペダルを回転させることと同時に動画装置を作動させ動画を見ながらペダルを漕ぐ。ペダルを回転させるときペダルを漕ぐ回転速度と動画装置の風景変化の速度とは必ずしも連動していなくてもよい。本発明を実施利用することにより、運動中に漕ぐことの飽きることや精神的な苦痛を緩和することができる。
【符号の説明】
【０００９】    １    電気コードＡ
２    電気コードＢ
３    負荷調整ダイアル
４    熱変換器
５    数値メーター
６    ハンドル
７    ペダル
８    サドル
９    前脚
１０  後脚
１１  動画装置
【図１】
2019130264.tif 000003
【図２】
2019130264.tif 000004
【図３】
2019130264.tif 000005
【図４】
2019130264.tif 000006